(57)【特許請求の範囲】
【請求項１】
液状物を収容する胴部および前記胴部内の液状物を注出する口部を有する容器の前記口部に装着されるキャップであって、
環状の本体部と、前記本体部に分離可能に設けられ、前記容器の口部の開口を閉塞する底壁部とを備え、
前記本体部は、前記容器の口部の外周面を覆う外側壁部を少なくとも含み、
前記外側壁部は、前記容器の口部の外周面に向けて突き出て前記口部の外周面に形成された係合段部に係合する抜止め部と、前記抜止め部の下方に設けられる遮蔽部とを有し、
前記遮蔽部の下端は、前記容器の胴部の上面に当接している、又は、前記容器の胴部の上面との間に０．３ｍｍ以下の隙間を形成しているキャップ。
【請求項２】
前記遮蔽部は、前記外側壁部の下部に一体に備えられている請求項１に記載のキャップ。
【請求項３】
前記遮蔽部は、前記外側壁部に設けられた該キャップの径方向外側に突き出る突出部に一体に備えられている請求項１に記載のキャップ。
【請求項４】
請求項３に記載のキャップであって、
前記突出部は、前記外側壁部の下端部に設けられており、前記外側壁部が、前記容器の口部の基端部に設けられた肉厚が厚い厚肉部の上面に当接するとともに、前記遮蔽部が前記容器の厚肉部の周面を覆うように設けられるキャップ。
【請求項５】
前記遮蔽部は、その外周面が下方に向かうに連れて該キャップの径方向内側に向かって傾斜している請求項１〜４のいずれかに記載のキャップ。
【請求項６】
前記本体部は、前記容器の口部の内周面と当接する内側壁部と、前記外側壁部と、前記内側壁部と前記外側壁部とを連結し前記口部の頂面と当接するフランジ部とを備え、前記内側壁部に薄肉部を介して前記底壁部が設けられている請求項１〜５のいずれかに記載のキャップ。
【請求項７】
薬液を収容する胴部および前記胴部内の薬液を注出する口部を有する薬液容器と、前記薬液容器の口部に装着される請求項１〜６のいずれかに記載のキャップとからなる薬液供給器。
【発明の詳細な説明】
【技術分野】
【０００１】
本発明は、キャップおよび薬液供給器に関し、特に、芳香用、便器の洗浄用などに用いられる薬液を供給する薬液供給装置に使用される薬液容器など、容器の口部に取り付けられた状態で、取り外されることなく使用されるキャップおよびこのキャップを用いた薬液供給器に関する。
【背景技術】
【０００２】
従来から、便器の洗浄や芳香効果を得るための薬液供給装置が水洗トイレにおいて用いられている。この種の薬液供給装置は、取付対象となる便器のタイプによって種々のものが提案されている。例えば、貯水タンクを有するタイプに対しては、貯水タンク上部の手洗い部に薬液供給装置が配置され、このタイプの薬液供給装置では、手洗い部上の給水管から手洗い部に供給される流水とともに、貯水タンク内に薬液容器の薬液が供給されるように構成されている。
【０００３】
一方、貯水タンク上部に手洗い部がないものや、貯水タンク自体を設けないタイプの便器も使用されており、これに対しては、便器のリムに薬液供給装置が直接取り付けられる。このタイプの薬液供給装置は、薬液容器を支持する支持体に設けた可撓性フックを便器のリムに係止することにより、便器内に吊り掛けられる。支持体には薬液容器の下方に薬液受け部が取り付けられており、薬液容器から薬液受け部上に供給される薬液を水洗時の流水によってさらうことで、便器内に薬液が供給されるように構成されている。
【０００４】
図１１は、上記した貯水タンク上部の手洗い部に取り付けられるタイプの薬液供給装置の基本構造を示している（例えば、特許文献１参照）。薬液供給装置は、薬液容器１００（図１２に示す）を支持する支持体１０１を備え、支持体１０１に装着された薬液の案内部材１０２の長脚部１０２Ａが貯水タンクの手洗い部の流し孔に挿入されるように配置される。
【０００５】
薬液容器１００は、図１２に示すように、ドーム状の胴部１１０と胴部１１０の下面に設けられた口部１１１とを有しており、口部１１１には、キャップ１１２が取り付けられている。このキャップ１１２は、図１３に示すように、環状の本体部１１３と、その中央の穴を塞ぐ底壁部１１４とで構成されている。使用に際しては、キャップ１１２を口部１１１に取り付け、キャップ１１２を下にした逆さの状態で、キャップ１１２の底壁部１１４に薬液供給装置の供給部１０３の接続部１０３Ａの先端を差し込む。これにより、薄肉部１１９が破断し、底壁部１１４が本体部１１３から切り離されるため、薬液容器１００内の薬液が薬液供給装置に供給されるようになっている。容器の口部１１１とキャップ１１２との間には、キャップ１１２が口部１１１から抜けない抜止め状態で係合する係合部材１１５，１１６がそれぞれ形成されており、使用の際に、使用者が誤ってキャップ１１２を口部１１１から取り外すことがないように規制されている（例えば、特許文献２参照）。
【０００６】
薬液供給装置に供給された薬液は、上下方向に延びた供給部１０３を通じて、供給部１０３の下端の導出孔１０４から案内部材１０２に供給される。そして、案内部材１０２に供給された薬液は、水洗時に手洗い部に供給される水に洗い流されて貯水タンクの中に流れ込む。
【０００７】
薬液供給装置の支持体１０１には、図１１に示すように、さらに調整機構が設けられている。この調整機構は、流水への接触などにより薬液容器１００の温度が変動したときに、薬液容器１００から案内部材１０２への薬液の余分な流出やその逆流が生じるのを防止するものであり、支持体１０１に支持された緩衝室Ｓと、緩衝室Ｓの上部に設けられた空気流通孔１０６と、緩衝室Ｓに連通するように供給部１０３の下部に設けられた緩衝孔１０７とを備えている。
【０００８】
上記構成の薬液供給装置は、次のように動作する。温度が上昇し、薬液容器１００内の圧力が上昇した場合には、薬液容器１００内の薬液は、緩衝孔１０７から流れ出して緩衝室Ｓ内に流入する。一方、温度が低下し、薬液容器１００内の圧力が低下すると、緩衝室Ｓ内の薬液が緩衝孔１０７を介して薬液容器１００内へ引き戻される。このように、特許文献１に記載の薬液供給装置では、温度変化の繰り返しがあっても、緩衝室Ｓの存在により、薬液の余分な流出が防止される。その結果、薬液容器１００から案内部材１０２へ薬液を正確な量で導出することが可能となり、長期使用が実現される。
【０００９】
一方で、特許文献１に記載の薬液供給装置においては、緩衝室Ｓが、支持体１０１に支持された底壁および側壁を有する下部部材１０８に、側壁および上壁を有する上部部材１０９を上方から嵌合することにより形成されている。上記嵌合構造においては、上部部材１０９の側壁と下部部材１０８の側壁との境目１０５が、緩衝室Ｓの下方部に位置するようになっているために、手洗い部に供給される水に触れやすくなっている。そうすると、毛管作用などにより、この境目１０５を介して水が緩衝室Ｓ内に浸入するおそれがあり、この浸入した水によって緩衝室Ｓ内の薬液が薄められると、薄められた薬液は温度変化により薬液容器１００内に吸収され、薬液容器１００内の薬液まで希釈されることとなる。これでは、適正な薬液量による薬効が妨げられるばかりか、薬液の本来の粘度が低下し、薬液容器１００から薬液が過剰に流出して長期使用を損ねることもある。
【００１０】
このように、この種の薬液供給装置では、薬液容器内の薬液の濃度を適正に保つことが、薬液の長期使用を可能にする上で重要であり、薬液供給装置の側において、薬液容器内の薬液の希釈化を防止するための工夫が種々施されている（例えば、特許文献３参照）。
【先行技術文献】
【特許文献】
【００１１】
【特許文献１】特開２００４−３００８６１号公報
【特許文献２】特開２００９−８４８０３号公報（図２参照）
【特許文献３】特開２００６−２８３５４０号公報（図８参照）
【発明の概要】
【発明が解決しようとする課題】
【００１２】
ところで、上記構成の薬液容器は、熱可塑性樹脂製容器の製造方法として広く普及している中空成形法で成形されている。中空成形法は、大別してホットパリソン法とコールドパリソン法とが知られている。ホットパリソン法は、射出成形されたパリソンを、パリソン形成に引き続いてインラインで温調しブロー成形を行う方法である。一方、コールドパリソン法とは、パリソン形成をブロー成形と完全に切り離したものであり、射出成形されたパリソンを一旦取り出してプリフォームとして貯蔵し、次にこのプリフォームを再加熱してから別のブロー成形機で２軸延伸ブロー成形を行う方法である。後者は生産性が高い反面、成形設備費が高く、一方、前者は、省エネルギー的であり、成形安定性・成形設備費の点において後者よりも優れているために、薬液容器の多くは前者の成形法で成形されている。
【００１３】
ホットパリソン法で成形される薬液容器１００は、図１２に示すように、その成形方法の特性上、口部１１１の基端部（口部１１１の胴部１１０との境界部）を部分的に厚い肉厚に形成する必要がある。よって、キャップ１１２も、この薬液容器１００の厚肉部１１７の形状に応じた形に形成されている。
【００１４】
しかしながら、薬液容器の生産性を鑑みると、コールドパリソン法により薬液容器を成形することも望まれているところ、コールドパリソン法で成形される薬液容器１００´では、図１４に示すように、その成形方法の特性上、ホットパリソン法で成形される薬液容器１００とは異なり、口部１１１の基端部を薄い肉厚に形成する必要がある。
【００１５】
このコールドパリソン法により成形された薬液容器１００´の口部１１１を、上記構成のキャップ１１２により閉じると、キャップ１１２の係合部材１１６の先端と薬液容器１００´の胴部１１０との間に隙間１１８が生じてしまう。これでは、使用者がキャップ１１２を容器１００の口部１１１から誤って取り外そうとした場合に簡単にキャップ１１２が取り外されるという問題がある。そのうえ、薬液容器１００´を上記した薬液供給装置に使用した時においては、水洗時の手洗い部や便器に供給される水や空気が、上記した隙間１１８から薬液容器１００´内に浸入するおそれがあり、その結果、薬液容器１００´内の薬液が希釈化するなどの問題が生じてしまう。このように、薬液容器の側においても、薬液の希釈化など防止するための工夫を施さなければ、薬液容器の有効使用を阻害してしまう。
【００１６】
本発明は、上記した問題に着目してなされたものであり、キャップが容易に取り外されることなく、かつ、容器内への水などの浸入を効果的に遮蔽できるキャップ、および、このキャップを用いた薬液供給器を提供することを目的とする。
【課題を解決するための手段】
【００１７】
本発明の上記目的は、液状物を収容する胴部および前記胴部内の液状物を注出する口部を有する容器の前記口部に装着されるキャップであって、環状の本体部と、前記本体部に分離可能に設けられ、前記容器の口部の開口を閉塞する底壁部とを備え、前記本体部は、前記容器の口部の外周面を覆う外側壁部を少なくとも含み、前記外側壁部は、前記容器の口部の外周面に向けて突き出て前記口部の外周面に形成された係合段部に係合する抜止め部と、前記抜止め部の下方に設けられる遮蔽部とを有し、前記遮蔽部の下端は、前記容器の胴部の上面に当接している、又は、前記容器の胴部の上面との間に０．３ｍｍ以下の隙間を形成しているキャップによって達成される。
【００１８】
本発明の好ましい実施態様においては、前記遮蔽部は、前記外側壁部の下部に一体に備えられていることを特徴としている。
【００１９】
本発明の他の好ましい実施態様においては、前記遮蔽部は、前記外側壁部に設けられた該キャップの径方向外側に突き出る突出部に一体に備えられていることを特徴としている。
【００２０】
本発明のさらに好ましい実施態様においては、前記突出部は、前記外側壁部の下端部に設けられており、前記外側壁部が、前記容器の口部の基端部に設けられた肉厚が厚い厚肉部の上面に当接するとともに、前記遮蔽部が前記容器の厚肉部の周面を覆うように設けられることを特徴としている。
【００２１】
本発明のさらに好ましい実施態様においては、前記遮蔽部は、その外周面が下方に向かうに連れて該キャップの径方向内側に向かって傾斜していることを特徴としている。
【００２２】
本発明のさらに好ましい実施態様においては、前記本体部は、前記容器の口部の内周面と当接する内側壁部と、前記外側壁部と、前記内側壁部と前記外側壁部とを連結し前記口部の頂面と当接するフランジ部とを備え、前記内側壁部に薄肉部を介して前記底壁部が設けられていることを特徴としている。
【００２３】
本発明の上記目的は、薬液を収容する胴部および前記胴部内の薬液を注出する口部を有する薬液容器と、前記薬液容器の口部に装着される上記構成のキャップとからなる薬液供給器によっても達成される。薬液供給器は、水洗トイレの貯水タンクの手洗い部や便器のリムに取り付けられる薬液供給装置に取り付けられて使用されるものである。使用時には、キャップを薬液容器の口部に装着したまま、キャップを下にした逆さの状態で薬液供給装置に取り付けられ、薬液容器内の薬液を水洗時に手洗い部や便器を流れる流水の作用によって便器などに供給することで、便器の洗浄効果や芳香効果を得るものである。
【発明の効果】
【００２４】
本発明のキャップおよび薬液供給器によれば、使用者によるキャップの取り外しを防止することができるとともに、容器内への空気や水などの浸入を効果的に遮蔽することができる。
【図面の簡単な説明】
【００２５】
【図１】本発明の一実施形態である薬液供給器の外観を示す正面図である。
【図２】図１の要部の内部構造を示す断面図である。
【図３】図２のキャップの一部を拡大して示す断面図である。
【図４】図２の実施形態の薬液供給器を薬液供給装置に取り付けた状態の要部の内部構造を示す図である。
【図５】図４の一部を拡大して示す断面図である。
【図６】本発明の他の実施形態である薬液供給器の要部の内部構造を示す断面図である。
【図７】図６のキャップの一部を拡大して示す断面図である。
【図８】図６の実施形態の薬液供給器を薬液供給装置に取り付けた状態の要部の内部構造を示す図である。
【図９】図８の一部を拡大して示す断面図である。
【図１０】本発明の他の実施形態である薬液供給器の要部の内部構造を示す断面図である。
【図１１】薬液供給装置の構成を示す分解斜視図である。
【図１２】ホットパリソン法により成形された薬液容器およびこの薬液容器に装着された従来のキャップの外観を示す正面図である。
【図１３】図１２の要部の内部構造を示す断面図である。
【図１４】コールドパリソン法により成形された薬液容器およびこの薬液容器に装着された従来のキャップの要部の内部構造を示す断面図である。
【発明を実施するための形態】
【００２６】
以下、本発明に係るキャップを、添付図面に示す実施形態に基づいて詳細に説明する。本発明に係るキャップは、例えば薬液、化粧品、香料などの液状物を内部に収容可能な容器の口部に装着されるとともに、容器の口部に装着した状態で、取り外されることなく使用されるものを想定しており、例えば、水洗トイレの貯水タンクの手洗い部や便器のリムに取り付けられて便器などに薬液を供給する薬液供給装置に使用される薬液容器のキャップに好適に用いることができる。なお、本発明に係るキャップは、これに限らず種々の態様の容器のキャップとしても使用可能である。
【００２７】
図１は、本発明の一実施形態であるキャップが用いられた薬液供給器の外観を、図２は、図１の薬液供給器の要部の内部構造を、それぞれ示している。薬液供給器は、薬液を内部に収容する薬液容器１の口部４にキャップ２が装着された構成のものであり、図４に示すように、キャップ２を薬液容器１の口部４に装着したまま、キャップ２を下にした逆さの状態で使用されるものである。この薬液供給器は、貯水タンク上部の手洗い部に取り付けられるタイプのもの、便器のリムに取り付けられるタイプのもの、いずれのタイプの薬液供給装置に対してもその使用が可能である。
【００２８】
薬液容器１は、ＰＥＴその他の硬質の合成樹脂を上記したコールドパリソン法により成形したものであり、液状物を貯留する中空の胴部３と、胴部３に連続して一体形成される円筒状の口部４とを有している。口部４は、胴部３内の薬液を注出するためのものであり、胴部３より小径に形成され、キャップ２により口部４上部の注出口４０が密閉されている。薬液容器１は、全体が透明または半透明の材料で形成され、外部から内部に貯留された薬液などの液状物の残量が確認できるようになっている。なお、この薬液容器１の素材としては、合成樹脂に限られるものではなく、その他にガラスなどを好ましく例示することができる。
【００２９】
薬液容器１の口部４の外周面には、周面より突き出る係合段部４１が一体に一周形成されている。この係合段部４１に後述するキャップ２に形成された抜止め部２６が引っ掛かって係合することで、キャップ２が口部４に固定されるようになっている。
【００３０】
キャップ２は、環状の本体部２０と、その中央の穴を塞ぐ円板状の底壁部２１とで構成されており、全体が軟質の合成樹脂により形成されている。本体部２０は、口部４の内周面と当接する円筒状の内側壁部２２と、口部４の外周面を覆う円筒状の外側壁部２３と、内側壁部２２および外側壁部２３の上部同士を連結する輪状のフランジ部２４とからなり、フランジ部２４は、口部４の頂面と当接している。
【００３１】
底壁部２１は、薄肉部２５を介して内側壁部２２の下部に分離可能に連結されており、薬液容器１の口部４の注出口４０を閉塞している。使用に際しては、薄肉部２５を、図４に示す薬剤供給装置１０の供給部１１の接続部１２の先端に差し込むことで、薄肉部２５が破断されて、底壁部２１が内側壁部２２から分離する結果、薬液容器１内の薬液が口部４の注出口４０から薬剤供給装置１０に供給される。
【００３２】
外側壁部２３の内周面には、薬液容器１の口部４の外周面に向けて突き出る先細形状の抜止め部２６が一周にわたって一体形成されている。抜止め部２６は、本実施形態においては、図３に示すように、平坦面の先端部２６ａを挟んで外側へ傾斜する傾斜面２６ｂ，２６ｃを備えており、上側の傾斜面２６ｂが口部４の係合段部４１に面接触している。なお、抜止め部２６の形状は、本実施形態のものに限られるものではなく、例えば先端部２６ａは凸曲面をなしていてもよく、また、傾斜面２６ｂ，２６ｃは先端部２６ａを挟んで鋭角または鈍角のいずれをなしていてもよい。
【００３３】
このように、抜止め部２６が係合段部４１に引っ掛かって係合することで、キャップ２が薬液容器１に固定され、これにより、使用者がキャップ２を誤って薬液容器１から取り外そうとしても、キャップ２が取り外されることがないよう規制されている。また、薬液容器１は、この薬液容器１とキャップ２との係合部、薬液容器１の口部４の頂面と当接するキャップ２のフランジ部２４、および、薬液容器１の口部４の内周面と当接するキャップ２の内側壁部２２の３つの止栓により、精度良く密閉されており、これにより、薬液容器１内の薬液が外部に漏れたり、薬液容器１内に水や空気が浸入したりして薬液に混ざることが防止されている。
【００３４】
外側壁部２３は、抜止め部２６よりも下方に、遮蔽部２７を一体に備えている。この遮蔽部２７は、下方に向けて延び、薬液容器１の胴部３の上面近くまで達している。ここで、「外側壁部２３の抜止め部２６よりも下方」とは、抜止め部２６の下側の傾斜面２６ｃと外側壁部２３の内周面とが交差する抜止め部２６の下端部２６ｄを基準にし、この抜止め部２６の下端部２６ｄを境にして下側のことを指している。
【００３５】
本実施形態では、外側壁部２３の抜止め部２６よりも下方に、遮蔽部２７を外側壁部２３と鉛直方向に連続するように設け、薬液容器１の胴部３の上面との間に使用者の指や爪が入る隙間をほとんど無くすことにより、使用者がキャップ２を薬液容器１から簡単に取り外すことができないようになっている。さらに、使用者が薬液容器１からキャップ２を取り外そうとして遮蔽部２７の下端をいじった場合でも、薬液容器１とキャップ２との係合部までの距離が長いために、抜止め部２６が拡径して口部４の係合段部４１との引っ掛かりが外れにくくなっている。これにより、キャップ２の取り外しが効果的に防止されるうえ、使用者の指や爪により係合部が直接触れられることがないので、係合部が破損したりして抜止め部２６と係合段部４１との引っ掛かり（係合状態）が弱くなることが防止される。その結果、係合部により、薬液容器１が精度良く密閉されている。なお、遮蔽部２７の下端は、胴部３の上面に当接していてもよいし、胴部３の上面との間に僅かであれば隙間（例えば０．３ｍｍ程度）が形成されていてもよい。
【００３６】
遮蔽部２７の外周面は、本実施形態では、その上端から下端にかけてキャップ２の径方向内側に向けて傾斜している。これにより、薬液供給器の使用時、つまり、図４および図５に示すように、薬液供給器を薬液供給装置１０に取り付けた状態で薬液供給装置１０を貯水タンク上部の手洗い部や便器のリムに取り付けた際、水洗トイレの水洗時に、手洗い部や便器に供給される水が薬液容器１に飛散し、飛散した水が薬液容器１の胴部３を伝って流れ落ちて、キャップ２まで伝わった場合においても、この使用時には、遮蔽部２７は下方に向かうに連れて外方へ向けて低く傾斜しているので、キャップ２まで伝わった水は、遮蔽部２７を伝って、キャップ２と薬液容器１の胴部３との境目Ｂ（図５参照）から離れる方向へ流れ落ちる。また、水洗時に手洗い部や便器に供給される水がキャップ２に直接飛散した場合でも、飛散した水は、遮蔽部２７により遮蔽されてキャップ２内部への浸入が阻止される。このように、薬液容器１やキャップ２に飛散した水のキャップ２内部への浸入が阻止される結果、薬液容器１内の薬液が希釈されることが防止される。
【００３７】
なお、本実施形態では、遮蔽部２７の外周面は、下方に向かうに連れてキャップ２の径方向内側に向かって傾斜していることにより、使用時に最も効果的にキャップ２内部への水の浸入を防止できる傾斜面になっているが、必ずしもこれに限られず、鉛直方向に延びていてもよく、また、下方に向かうに連れてキャップ２の径方向外側に向かって傾斜していてもよい。
【００３８】
図６は、本発明の他の実施形態であるキャップ２´が用いられた薬液供給器の要部の内部構造を示す。なお、この実施形態の薬液容器１およびキャップ２´も、基本的な構成は上記した実施形態の構成と同様であり、ここでは対応する構成に同一の符号を付することで詳細な説明を省略する。
【００３９】
図示例のキャップ２´では、図６および図７に示すように、遮蔽部２７´が外側壁部２３の抜止め部２６よりも下方に一体に備えられているが、上記実施形態の遮蔽部２７と比べて、キャップ２の径方向外側にずれた位置に設けられている。つまり、外側壁部２３の下端部の内周面に、口部４の外周面に向けて突き出る先細形状の抜止め部２６が一周にわたって一体形成されているとともに、外側壁部２３の下端部の外周面が、キャップ２´の径方向外側に突き出ており、この突出部２３Ａに、遮蔽部２７´が一体形成されている。この遮蔽部２７´も、下方に向けて延び、容器１の胴部３の上面近くまで達している。なお、上記実施形態と同様に、遮蔽部２７´の下端は、胴部３の上面に当接していてもよいし、胴部３の上面との間に僅かな隙間（例えば０．３ｍｍ程度）であれば形成されていてもよい。
【００４０】
遮蔽部２７´の外周面も、その上端から下端にかけて、キャップ２´の径方向内側に向けて傾斜している。これにより、図７および図８に示すように、薬液供給器の使用時には、遮蔽部２７´が下方に向かうに連れて外方へ向けて低く傾斜するので、水洗時に薬液容器１やキャップ２´に飛散する水は、キャップ２´と薬液容器１の胴部３との境目Ｂ（図８参照）から離れる方向へ流れ落ちるため、キャップ２´内部に浸入するのが効果的に阻止されるようになっている。
【００４１】
図６の実施形態においても、遮蔽部２７´が薬液容器１の胴部３の上面近くまで達し、胴部３の上面との間に使用者の指や爪が入る隙間を無くしているから、使用者がキャップ２´を薬液容器１から簡単に取り外すことができないように規制されている。さらに、使用者が遮蔽部２７´の下端をいじってキャップ２´を取り外そうとしても、薬液容器１とキャップ２´との係合部までの距離が長いために、抜止め部２６が拡径して口部４の係合段部４１との引っ掛かりが外れにくくなっており、これにより、キャップ２´の取り外しが効果的に防止される。そのうえ、使用者の指や爪により係合部が直接触れられることがないので、係合部が破損したりして抜止め部２６と係合段部４１との引っ掛かり（係合状態）が弱くなることが防止され、その結果、係合部により、薬液容器１が精度良く密閉される。
【００４２】
これに加えて、図６の実施形態のキャップ２´は、上記したホットパリソン法で成形される薬液容器に対しても好適に使用することが可能である。ホットパリソン法で成形される薬液容器１´は、図１０に示すように、口部４の基端部（口部４の胴部３との境界部）に部分的に肉厚が厚い厚肉部４２が形成される。この厚肉部４２の上面に、キャップ２´の外側壁部２３の下端部が当接するとともに、厚肉部４２の周面に、キャップ２´の遮蔽部２７´の内周面が当接するように、薬液容器１´またはキャップ２´の大きさを設定することにより、この薬液容器１´は、薬液容器１´とキャップ２´との係合部、口部４の厚肉部４２と当接するキャップ２´の外側壁部２３および遮蔽部２７´、口部４の頂面と当接するキャップ２´のフランジ部２４、および、口部４の内周面と当接するキャップ２´の内側壁部２２の４つの止栓により、精度良く密閉される。よって、図６の実施形態のキャップ２´を用いることで、ホットパリソン法で成形される薬液容器１´に対しても、薬液容器１´内の薬液が外部に漏れたり、薬液容器１´内に水や空気が浸入したりすることを効果的に防止できる。
【００４３】
このように、図６の実施形態のキャップ２´は、上記したコールドパリソン法で成形される薬液容器１に加えて、上記したホットパリソン法で成形される薬液容器１´にも使用することができ、いずれの薬液容器１，１´に対しても好適に薬液容器１，１´を密閉することができるので、容器の形状に応じてキャップの形状を変更する必要がなく、製造コストを低減できる。
【００４４】
上述したとおり、本発明に係るキャップ２，２´によると、薬液容器１，１´の口部４とキャップ２，２´との係合部の下方に、薬液容器１，１´の胴部３の上面まで達する遮蔽部２７，２７´が設けられることにより、キャップ２，２´と薬液容器１，１´の胴部３の上面との間の隙間がほとんど無くなる。その結果、使用者が簡単にはキャップ２，２´を薬液容器１，１´から取り外すことができないようになっている。
【００４５】
また、使用者がキャップ２，２´を取り外そうとして遮蔽部２７，２７´の下端をいじったとしても、薬液容器１，１´とキャップ２，２´との係合部までの距離が長いために、抜止め部２６が拡径せず、抜止め部２６と係合段部４１との引っ掛かりが外れにくくなっている。よって、キャップ２，２´が薬液容器１，１´から外れにくくなっている。
【００４６】
また、使用者の指や爪により係合部が直接触れられることがないので、係合部が破損したりして抜止め部２６と係合段部４１との引っ掛かり（係合状態）が弱くなることが防止される。その結果、係合部により、薬液容器１，１´が精度良く密閉され、薬液容器１，１´内への空気や水などの異物の浸入を効果的に防止できるようになっている。
【００４７】
また、薬液容器１，１´の使用時には、水洗時に手洗い部や便器に供給される流水が、薬液容器１，１´に飛散してキャップ２，２´まで伝わったり、あるいは、キャップ２，２´に直接飛散したりする場合があるが、飛散した水は、遮蔽部２７，２７´により効果的に遮蔽されてキャップ２，２´から流れ落ちる。よって、飛散した水のキャップ２，２´内部への浸入が阻止される結果、薬液容器１，１´内の薬液が希釈されることを防止できるようになっている。
【符号の説明】
【００４８】
１，１´    薬液容器
２，２´    キャップ
３    胴部
４    口部
２０  本体部
２１  底壁部
２２  内壁部
２３  外壁部
２３Ａ  突出部
２４  フランジ部
２５  薄肉部
２６  抜止め部
２７  遮蔽部
４０  注出口
４１  係合段部
４２  厚肉部
【図１】
0005877634.tif 000002
【図２】
0005877634.tif 000003
【図３】
0005877634.tif 000004
【図４】
0005877634.tif 000005
【図５】
0005877634.tif 000006
【図６】
0005877634.tif 000007
【図７】
0005877634.tif 000008
【図８】
0005877634.tif 000009
【図９】
0005877634.tif 000010
【図１０】
0005877634.tif 000011
【図１１】
0005877634.tif 000012
【図１２】
0005877634.tif 000013
【図１３】
0005877634.tif 000014
【図１４】
0005877634.tif 000015